(57)【要約】【課題】冬季であっても凍結することなく、収納室開口を開閉することができる墓用香炉を提供する。【解決手段】香炉本体１１が、基板２１と天板２４と１対の側壁２２とを有して内部に収納室１１ａを有し、前部に収納室開口１１ｂを有する。各側壁２２は収納室１１ａを挟んで天板２４を支持する。香炉本体１１は１対の正面板２３と吊下レール２５とを有する。各正面板２３は各側壁２２の前面との間にそれぞれ間隙２３ａをあけて設けられる。吊下レール２５は天板２４に収納室１１ａの前方および各側壁２２と各正面板２３との間隙２３ａで連続するよう設けられている。吊戸１２が吊下レール２５にスライド可能に吊り下げられている。吊戸１２はスライドして収納室開口１１ｂを開閉可能である。【選択図】図１
2012102462.tif 000002
【特許請求の範囲】
【請求項１】
天板と１対の側壁とを有して内部に収納室を有し、前部に収納室開口を有する香炉本体と、
前記収納室開口を開閉するよう前記天板にスライド可能に吊り下げられた吊戸とを、
有することを特徴とする墓用香炉。
【請求項２】
前記香炉本体は１対の正面板と吊下レールとを有し、各側壁は前記収納室を挟んで前記天板を支持し、各正面板は各側壁の前面との間にそれぞれ間隙をあけて設けられ、前記吊下レールは前記天板に前記収納室の前方および前記間隙で連続するよう設けられ、前記吊戸は前記吊下レールにスライド可能に吊り下げられていることを、
特徴とする請求項１記載の墓用香炉。
【発明の詳細な説明】
【技術分野】
【０００１】
本発明は、墓用香炉に関する。
【背景技術】
【０００２】
従来の墓用香炉として、底板および天板にそれぞれ敷居および鴨居を設け、敷居および鴨居にスライド移動可能に保持された引戸により、収納室の収納室開口を開閉するものがある（例えば、特許文献１参照）。
【先行技術文献】
【特許文献】
【０００３】
【特許文献１】特許第３０３２４９５号公報
【発明の概要】
【発明が解決しようとする課題】
【０００４】
しかしながら、特許文献１に記載の墓用香炉では、敷居に雨水等が溜まりやすく、冬季にはその水が凍結して引戸が動かなくなり、収納室開口を開閉できなくなるという課題があった。
【０００５】
本発明は、このような課題に着目してなされたもので、冬季であっても凍結することなく、収納室開口を開閉することができる墓用香炉を提供することを目的としている。
【課題を解決するための手段】
【０００６】
上記目的を達成するために、本発明に係る墓用香炉は、天板と１対の側壁とを有して内部に収納室を有し、前部に収納室開口を有する香炉本体と、前記収納室開口を開閉するよう前記天板にスライド可能に吊り下げられた吊戸とを、有することを特徴とする。
【０００７】
本発明に係る墓用香炉は、収納室開口を天板に吊り下げられた吊戸で開閉するため、敷居が不要で、溜まった雨水等で吊戸が凍り付くのを防ぐことができる。このため、冬季でも吊戸を円滑に開閉することができる。吊戸は、１枚でも複数枚でもよい。
【０００８】
本発明に係る墓用香炉で、前記香炉本体は１対の正面板と吊下レールとを有し、各側壁は前記収納室を挟んで前記天板を支持し、各正面板は各側壁の前面との間にそれぞれ間隙をあけて設けられ、前記吊下レールは前記天板に前記収納室の前方および前記間隙で連続するよう設けられ、前記吊戸は前記吊下レールにスライド可能に吊り下げられていることが好ましい。
【０００９】
この場合、吊戸は、各正面板と各側壁との間に挟まれてスライドするため、前後のがたつきを防ぎ、円滑にスライドさせることができる。また、吊戸が正面板の後側にスライドするため、正面板を隠さずに吊戸を開けることができる。このため、例えば、正面板の前面に家紋を形成しても、家紋を隠さずに吊戸を開けることができる。なお、各側壁は、花立てから成っていてもよい。
【発明の効果】
【００１０】
本発明によれば、冬季であっても凍結することなく、収納室開口を開閉することができる墓用香炉を提供することができる。
【図面の簡単な説明】
【００１１】
【図１】本発明の実施の形態の墓用香炉を示す（ａ）吊戸を閉めた状態の斜視図、（ｂ）吊戸を開けた状態の斜視図である。
【図２】図１に示す墓用香炉の正面図である。
【図３】図１に示す墓用香炉の、図２のＡ−Ａ’線に沿った断面図である。
【図４】図１に示す墓用香炉の吊下レールおよび吊戸を示す断面斜視図である。
【図５】本発明の実施の形態の墓用香炉の、排水溝を有する変形例を示す斜視図である。
【図６】本発明の実施の形態の墓用香炉の、納骨用開口を有する変形例を示す斜視図である。
【発明を実施するための形態】
【００１２】
以下、図面に基づき本発明の実施の形態について説明する。
図１乃至図５は、本発明の実施の形態の墓用香炉を示している。
図１乃至図４に示すように、墓用香炉１０は、香炉本体１１と吊戸１２とを有している。
【００１３】
図１乃至図３に示すように、香炉本体１１は、基板２１と１対の側壁２２と１対の正面板２３と天板２４と吊下レール２５とを有し、箱形を成して内部に収納室１１ａを有している。香炉本体１１は、前部に収納室開口１１ｂを有し、後部に開口１１ｃを有している。基板２１は、ほぼ矩形板状を成し、表面の正面側に正面の縁部に沿って背面側より低くなった段部２１ａを有している。基板２１の長さ方向中間部には、段部２１ａから正面の縁部にかけて低くなるよう傾斜した傾斜面２１ｂが形成されている。
【００１４】
各側壁２２は、直方体状の花立てから成り、それぞれ上面中央に花を活けるための穴を有している。各側壁２２は、それぞれ基板２１の左右両端部上に設けられて収納室１１ａを挟み、墓用香炉１０の左右の壁を構成している。各側壁２２は、基板２１の上で段部２１ａに近接して段部２１ａより背面側に配置されている。
【００１５】
各正面板２３は、薄い矩形板状を成し、各側壁２２の前面とほぼ同じ大きさを有している。各正面板２３は、各側壁２２の前面との間にそれぞれ間隙２３ａをあけて各側壁２２の前方で、基板２１の上の傾斜面２１ｂを挟む両側にそれぞれ設けられている。各正面板２３は、段部２１ａより背面側に離されて配置されている。各正面板２３には、前面に家紋を彫ることができる。
【００１６】
天板２４は、各側壁２２の上側部分２４ａ、２４ｂと収納室１１ａの上側部分２４ｃとの３つの部分から成り、その３つに分解可能である。天板２４は、全体がほぼ矩形板状を成し、全体表面が基板２１の表面とほぼ同じ大きさを有している。各側壁２２の上側部分２４ａ、２４ｂは、各正面板２３の上部を覆い、各側壁２２の上で支持されている。収納室１１ａの上側部分２４ｃは、各側壁２２の上側部分２４ａ、２４ｂに架け渡されて支持されている。これにより、天板２４は、基板２１および各側壁２２とともに収納室１１ａを形成する。各側壁２２の上側部分２４ａ、２４ｂは、収納室１１ａの上側部分２４ｃに比べて厚く、やや高くなっている。天板２４は、花立て用に各側壁２２の穴に連通する貫通孔２４ｄを有している。天板２４は、底面に正面側の縁部に沿って一端から他端まで左右方向に伸びる取付溝２４ｅを有している。取付溝２４ｅは、各側壁２２と各正面板２３との間隙２３ａの位置に直線状に設けられており、天板２４とともに各側壁２２の上側部分２４ａ、２４ｂと収納室１１ａの上側部分２４ｃとの３つの部分に分割可能である。
【００１７】
図３および図４に示すように、吊下レール２５は、直線状に配列される３本の部分２５ａ、２５ｂ、２５ｃから成り、断面がＣ型で開口２５ｄの幅より内部の幅が広く、細長い形状を有している。吊下レール２５は、好ましくはステンレス製である。吊下レール２５は、取付溝２４ｅの幅より幅がやや狭く、全体で取付溝２４ｅの長さよりやや長くなっている。吊下レール２５は、開口２５ｄとは反対側の外側面２５ｅが平坦である。吊下レール２５は、全体の両端部に開口２５ｄを塞ぐストッパーを有している。なお、ストッパーは、吊下レール２５全体の両端部付近の取付溝２４ｅに設けられていてもよい。吊下レール２５は、開口２５ｄを下方に向けた状態で取付溝２４ｅに沿って左右方向に伸びるよう、天板２４の取付溝２４ｅの内部に設けられている。吊下レール２５は、天板２４の各側壁２２の上側部分２４ａ、２４ｂと収納室１１ａの上側部分２４ｃとともに、各側壁２２の上側の部分２５ａ、２５ｂと収納室１１ａの上側の部分２５ｃとに分割可能である。吊下レール２５の３本の部分２５ａ、２５ｂ、２５ｃは、それぞれ外側面２５ｅが天板２４の各側壁２２の上側部分２４ａ、２４ｂおよび収納室１１ａの上側部分２４ｃの３本の取付溝２４ｅにセラミックボンドにより固定され、収納室１１ａの前方および各側壁２２と各正面板２３との間隙２３ａで直線状に連続している。
【００１８】
図１乃至図４に示すように、吊戸１２は、１対の矩形状の板から成り、それぞれ格子模様が施されている。吊戸１２は、厚さが各側壁２２と各正面板２３との間隙２３ａより薄く、その間隙２３ａ内を移動可能である。各吊戸１２には、それぞれ上縁の左右に離れた位置に１対のネジ部材２６が取り付けられている。各ネジ部材２６は、ステンレス製で、頭部２６ａと軸部２６ｂとを有している。頭部２６ａは、径が吊下レール２５の内部の幅より小さく、開口２５ｄの幅より大きい。軸部２６ｂは、径が開口２５ｄの幅より小さい。各吊戸１２は、ネジ部材２６の頭部２６ａを吊下レール２５と係合させて、吊下レール２５にスライド可能に吊り下げられている。これにより、各吊戸１２は、収納室開口１１ｂを開閉可能になっている。各吊戸１２を各側壁２２と各正面板２３との間隙２３ａ内にスライドさせたとき、収納室開口１１ｂを開放することができる。吊戸１２は、収納室開口１１ｂを閉じた状態で、端部が各側壁２２と各正面板２３との間隙２３ａに位置することが好ましい。
【００１９】
次に、作用について説明する。
墓用香炉１０は、吊戸１２を吊下レール２５に沿ってスライドさせて収納室開口１１ｂを開閉することができる。収納室開口１１ｂを天板２４に吊り下げられた吊戸１２で開閉するため、敷居が不要で、溜まった雨水等で吊戸１２が凍り付くのを防ぐことができる。特に、収納室開口１１ｂの正面側の傾斜面２１ｂにより、基板２１の段部２１ａから傾斜面２１ｂに沿って雨水を外部に流すことができるので、雨水が溜まりにくく、凍り付きにくい。このため、冬季でも吊戸１２を円滑に開閉することができる。
【００２０】
また、墓用香炉１０は、吊戸１２が各正面板２３と各側壁２２との間に挟まれてスライドするため、前後のがたつきを防ぎ、円滑にスライドさせることができる。特に、吊戸１２が収納室開口１１ｂを閉じた状態で、吊戸１２の端部が各側壁２２と各正面板２３との間隙２３ａに位置する場合、吊戸１２の前後のがたつきを常に防ぐことができる。また、吊戸１２は正面板２３の後側にスライドするため、正面板２３の前面の家紋を隠さずに吊戸１２を開けることができる。
【００２１】
墓用香炉１０は、吊下レール２５およびネジ部材２６がステンレス製のため、石材どうしをスライドさせる場合に比べて、吊戸１２を動かすときの摩擦力が小さく、収納室開口１１ｂを円滑に開閉することができる。天板２４は３つの上側部分２４ａ、２４ｂ、２４ｃに分割可能であり、天板２４とともに吊下レール２５も３本の部分２５ａ、２５ｂ、２５ｃに分割可能であるため、天板２４の収納室１１ａの上側部分２４ｃおよびその上側部分２４ｃの吊下レール２５の部分２５ｃを外して、収納室１１ａを開放することができる。吊戸１２は、吊下レール２５の両端のストッパーにより、吊下レール２５から外れるのを防止されている。
【００２２】
なお、図５に示すように、墓用香炉１０は、基板２１の上の、各正面板２３と各側壁２２との間隙に、基板２１の左右両端へ下がるよう傾斜した排水溝３１を有していてもよい。この場合、各正面板２３と各側壁２２との間の雨水を排水溝３１により外部に流すことができるので、雨水が溜まりにくく、凍結防止効果が高い。
【００２３】
また、図６に示すように、墓用香炉１０は、納骨堂の上方に配置され、基板２１に、納骨堂に連通する納骨用開口４１を有し、その納骨用開口４１を塞ぐ底蓋４２を有していてもよい。底蓋４２には、背面部に正面側に引っ張りやすくする手掛け用凹部が形成されている。この場合、納骨に重い墓石を持ち上げる必要がなく、吊戸１２を開いて底蓋４２を正面側にスライドさせることにより、納骨用開口４１から容易に納骨することができる。
【符号の説明】
【００２４】
１０  墓用香炉
１１  香炉本体
１１ａ  収納室
１１ｂ  収納室開口
１１ｃ  後部開口
１２  吊戸
２１  基板
２１ａ  段部
２１ｂ  傾斜面
２２  側壁
２３  正面板
２３ａ  間隙
２４  天板
２４ｄ  貫通孔
２４ｅ  取付溝
２５  吊下レール
２６  ネジ部材
２６ａ  頭部
２６ｂ  軸部
【図１】
2012102462.tif 000003
【図２】
2012102462.tif 000004
【図３】
2012102462.tif 000005
【図４】
2012102462.tif 000006
【図５】
2012102462.tif 000007
【図６】
2012102462.tif 000008